(57)【要約】【課題】内部の温度上昇を抑制可能とすること。【解決手段】盤筐体の正面扉体１１には換気装置２１が取り付けられている。換気装置２１は、枠状の換気ボックス６０を介して正面扉体１１に取着される外側ルーバー部材３０、粉塵除去フィルタ４０、内側ルーバー部材５０を備えている。また、換気装置２１は、正面扉体１１の内側面に取着される耐塩フィルタ７０を備えている。【選択図】図４
2020010495.tif 000002
【特許請求の範囲】
【請求項１】
電力機器を収容する盤筐体であって、
前記電力機器が配置される本体部と、
前記本体部に取着された扉体と、
前記扉体の外側面に、枠状の換気ボックスを介して取付られたルーバー部材及び粉塵除去フィルタと、
前記扉体の内側面に取付られた耐塩フィルタと、
を備えたことを特徴とする盤筐体。
【請求項２】
前記ルーバー部材は少なくとも、外側ルーバー部材と、前記外側ルーバー部材より前記扉体側に配設された内側ルーバー部材とを有することを特徴とする請求項１に記載の盤筐体。
【請求項３】
前記外側ルーバー部材と前記内側ルーバー部材は、それぞれの貫通孔が重ならないように配設されていることを特徴とする請求項２に記載の盤筐体。
【請求項４】
前記粉塵除去フィルタは、前記外側ルーバー部材と前記内側ルーバー部材との間に配設されていることを特徴とする請求項２または３に記載の盤筐体。
【請求項５】
前記換気ボックスは、前記ルーバー部材及び前記粉塵除去フィルタが取り付けられる被取付部と、前記被取付部の周縁を囲むように設けられる周壁とを備えた外側枠体と、前記扉体に取り付けられる取付部と、前記取付部の周縁を囲むように設けられる周壁とを備えた内側枠体と、から構成され、
前記外側枠体の前記周壁を構成する下壁は、基端よりも先端が下に位置するように傾いて設けられ、
前記内側枠体の前記周壁を構成する下壁は、基端よりも先端が下に位置するように傾いて設けられ、
前記外側枠体と前記内側枠体は、前記内側枠体の下壁と前記外側枠体の下壁とにより折れ曲がった通路を構成するように配置される、
ことを特徴とする請求項１〜４のいずれか１項に記載の盤筐体。
【請求項６】
電力機器を収容する盤筐体に取り付けられる換気装置であって、
枠状の換気ボックスと、
前記換気ボックスの厚さ方向の一方に設けられた被取付部に取り付けられたルーバー部材及び粉塵除去フィルタと、
前記換気ボックスの厚さ方向の他方に設けられた耐塩フィルタと、
を備えたことを特徴とする換気装置。
【発明の詳細な説明】
【技術分野】
【０００１】
本発明は、電力機器を収容する盤筐体、盤筐体に取着される換気装置に関する。
【背景技術】
【０００２】
例えば、ビルや工場などに設置される受変電設備等の電力設備は、遮断器や変圧器等の各種の電力機器を備え、それらの電力機器は、盤筐体に収容されている（例えば、特許文献１参照）。
【先行技術文献】
【特許文献】
【０００３】
【特許文献１】特開２００３−２１９５２２号公報
【発明の概要】
【発明が解決しようとする課題】
【０００４】
ところで、上記のような電力設備は、塩害を受ける場所にも設置される。このような場所に設置される電力設備には、耐塩フィルタが設けられる。耐塩フィルタは、圧力損失が大きいため、筐体内部の温度が上昇しやすい。このため、排気面積や排気量を増加することで内部の温度上昇を抑制することが求められる。
【０００５】
本発明は上記問題点を解決するためになされたものであって、その目的は、内部の温度上昇を抑制可能とした盤筐体及び換気装置を提供することにある。
【課題を解決するための手段】
【０００６】
上記課題を解決する盤筐体は、電力機器を収容する盤筐体であって、前記電力機器が配置される本体部と、前記本体部に取着された扉体と、前記扉体の外側面に、枠状の換気ボックスを介して取付られたルーバー部材及び粉塵除去フィルタと、前記扉体の内側面に取付られた耐塩フィルタと、を備えた。
【０００７】
この構成によれば、換気ボックスによって、ルーバー部材、粉塵除去フィルタ、耐塩フィルタが扉体内側の構成部材に対する干渉が抑制されるため、大きなルーバー部材、粉塵除去フィルタ、耐塩フィルタを用いることができるようになる。このため、換気量が増加し、盤筐体内の温度上昇が抑制される。
【０００８】
上記の盤筐体は、前記ルーバー部材は少なくとも、外側ルーバー部材と、前記外側ルーバー部材より前記扉体側に配設された内側ルーバー部材とを有することが好ましい。
この構成によれば、盤筐体の内部への水の浸入を抑制できる。
【０００９】
上記の盤筐体において、前記外側ルーバー部材と前記内側ルーバー部材は、それぞれの貫通孔が重ならないように配設されていることが好ましい。
この構成によれば、更に水の浸入が抑制される。
【００１０】
上記の盤筐体において、前記粉塵除去フィルタは、前記外側ルーバー部材と前記内側ルーバー部材との間に配設されていることが好ましい。
この構成によれば、粉塵除去フィルタが外側ルーバー部材と内側ルーバー部材とに挟持されて、コンパクトな構造とすることができる。
【００１１】
上記の盤筐体において、前記換気ボックスは、前記ルーバー部材及び前記粉塵除去フィルタと、が取り付けられる被取付部と、前記被取付部の周縁を囲むように設けられる周壁とを備えた外側枠体と、前記扉体に取り付けられる取付部と、前記取付部の周縁を囲むように設けられる周壁とを備えた内側枠体と、から構成され、前記外側枠体の前記周壁を構成する下壁は、基端よりも先端が下に位置するように傾いて設けられ、前記内側枠体の前記周壁を構成する下壁は、基端よりも先端が下に位置するように傾いて設けられ、前記外側枠体と前記内側枠体は、前記内側枠体の下壁と前記外側枠体の下壁とにより、外側枠体に内側枠体の下壁が入り込み折れ曲がった通路を構成するように配置されることが好ましい。
【００１２】
この構成によれば、換気ボックス内に浸入した水が換気ボックスの下部の折れ曲がった通路（いわゆる迷路構造の通路）により換気ボックスから外部へと流れ落ちる。また、迷路構造により、換気ボックスの下部から水が浸入し難い。
【００１３】
上記課題を解決する換気装置は、電力機器を収容する盤筐体に取り付けられる換気装置であって、枠状の換気ボックスと、前記換気ボックスの厚さ方向の一方に設けられた被取付部に取り付けられたルーバー部材及び粉塵除去フィルタと、前記換気僕薄の厚さ方向の他方に設けられた耐塩フィルタと、を備えた。
【００１４】
この構成によれば、換気ボックスによって、ルーバー部材、粉塵除去フィルタ、耐塩フィルタが扉体の構成部材に対する干渉が抑制されるため、大きなルーバー部材、粉塵除去フィルタ、耐塩フィルタを用いることができるようになる。このため、換気量が増加し、盤筐体内の温度上昇が抑制される。
【発明の効果】
【００１５】
本発明によれば、内部の温度上昇を抑制可能とした盤筐体及び換気装置を提供することができる。
【図面の簡単な説明】
【００１６】
【図１】（ａ）は配電盤の概略正面図、（ｂ）は配電盤の概略側断面図、（ｃ）は配電盤の概略背面図。
【図２】正面扉体の一部拡大正面図。
【図３】正面扉体の一部拡大裏面図。
【図４】正面扉体の一部拡大側断面図。
【図５】換気装置の一部拡大側断面図。
【図６】換気装置の分解斜視図。
【図７】別の換気装置の概略側断面図。
【発明を実施するための形態】
【００１７】
以下、一実施形態を添付図面にしたがって説明する。
なお、添付図面は、理解を容易にするために構成要素を拡大して示している場合がある。構成要素の寸法比率は実際のものと、または別の図面中のものと異なる場合がある。また、断面図では、理解を容易にするために、一部の構成要素のハッチングを省略している場合がある。
【００１８】
図１（ａ）、図１（ｂ）、図１（ｃ）に示す配電盤１は、例えば、ビルや工場等の屋外に設置される受変電設備を構成するものであり、例えば、配電線盤である。なお、配電盤１は、受電盤、ＶＣＴ盤、変圧器二次盤、母線連絡盤、等とされてもよい。
【００１９】
配電盤１は、盤筐体２と、盤筐体２に収容された複数の電力機器３を有している。盤筐体２は、電力機器３が配設される本体部１０と、本体部１０の前側（図１（ｂ）において左側）に配設された扉体としての正面扉体１１と、本体部１０の後側に配設された扉体としての背面扉体１２とを備えている。本実施形態において、盤筐体２には、母線（Ｒ，Ｓ，Ｔ）４と、電力機器としての遮断器（ＶＣＢ）５ａ、５ｂが収容されている。遮断器５ａ，５ｂと正面扉体１１との間は制御室６である。
【００２０】
図１（ａ）に示すように、正面扉体１１は、該正面扉体１１に設けられた開閉レバー１１ａの操作により開閉可能となる。正面扉体１１の中央部分には、メンテナンス用の開閉扉１１ｂが設けられ、正面扉体１１の上部には表示灯１１ｃが設けられている。また、正面扉体１１の下部には、換気装置２１が取着されている。
【００２１】
図１（ｃ）に示すように、背面扉体１２は、該背面扉体１２に設けられた開閉レバー１２ａの操作により開閉可能となる。背面扉体１２には、２つの換気装置２２が取着されている。背面扉体１２に取着された２つの換気装置２２は、正面扉体１１に取着された換気装置２１と同じ構成である。このため、正面扉体１１の換気装置２１について詳細に説明し、背面扉体１２の換気装置２２の詳細な図面及び説明を省略する。
【００２２】
図４及び図６に示すように、正面扉体１１には換気口１１ｄが形成され、換気口１１ｄに対して換気装置２１が取り付けられる。
換気装置２１は、ルーバー部材３０，５０、粉塵除去フィルタ４０、換気ボックス６０、耐塩フィルタ７０を備えている。本実施形態において、ルーバー部材３０，５０及び粉塵除去フィルタ４０は、換気ボックス６０を介して正面扉体１１の外側に取着され、耐塩フィルタ７０は、正面扉体１１の内側に取着されている。
【００２３】
図４及び図５に示すように、本実施形態の換気装置２１は、２つのルーバー部材３０，５０の間に粉塵除去フィルタ４０が配設された構成である。以下の説明において、２つのルーバー部材３０，５０のうち、粉塵除去フィルタ４０より外側のルーバー部材３０を外側ルーバー部材と呼び、粉塵除去フィルタ４０より内側のルーバー部材５０を内側ルーバー部材と呼ぶことがある。
【００２４】
図２及び図６に示すように、外側ルーバー部材３０は四角形状である。図５及び図６に示すように、外側ルーバー部材３０は、本体板３１と、本体板３１の周囲に一体に設けられた枠状の取付部３２とを備えている。図５に示すように、本体板３１には複数の通気部３３が配設されている。複数の通気部３３は、互いに水平方向に隣り合う複数の列を成すように配列されている。各通気部３３は、本体板３１が有する貫通孔３３ａと、貫通孔３３ａを覆う羽板３３ｂとから構成されている。各通気部３３の貫通孔３３ａは、水平方向に延びる形状を成している。羽板３３ｂは、本体板３１の外側に突設され、下方に開口している。羽板３３ｂは、貫通孔３３ａの形状に沿って湾曲した形状を成している。本実施形態の外側ルーバー部材３０は、金属材料から一体に形成されている。外側ルーバー部材３０は、例えば、金属板の打ち抜き加工及び曲げ加工により形成することができる。
【００２５】
図６に示すように、内側ルーバー部材５０は四角形状である。図５及び図６に示すように、内側ルーバー部材５０は、本体板５１と、本体板５１の周囲に一体に設けられた枠状の取付部５２とを備えている。図５に示すように、本体板５１には複数の通気部５３が配設されている。複数の通気部５３は、互いに水平方向に隣り合う複数の列を成すように配列されている。各通気部５３は、本体板５１が有する貫通孔５３ａと、貫通孔５３ａを覆う羽板５３ｂとから構成されている。各通気部５３の貫通孔５３ａは、水平方向に延びる形状を成している。羽板５３ｂは、本体板５１の内側に突設され、上方に開口している。羽板５３ｂは、貫通孔５３ａの形状に沿って湾曲した形状を成している。本実施形態の内側ルーバー部材５０は、金属材料から一体に形成されている。内側ルーバー部材５０は、例えば、金属板の打ち抜き加工及び曲げ加工により形成することができる。
【００２６】
図６に示すように、粉塵除去フィルタ４０は、四角形状である。粉塵除去フィルタ４０は、外側ルーバー部材３０と内側ルーバー部材５０とともに、締結部材９１（ボルト）によって換気ボックス６０に取着される。本実施形態において、外側ルーバー部材３０と内側ルーバー部材５０は、それぞれの貫通孔３３ａ，５３ａが重なるように配置されている。
【００２７】
図４〜図６に示すように、換気ボックス６０は、外側枠体６１と内側枠体６４とから構成されている。
図５に示すように、外側枠体６１は、枠状の被取付部６２と、被取付部６２の周縁を囲むように設けられる周壁６３とを備えている。外側枠体６１の被取付部６２には、外側ルーバー部材３０の取付部３２と粉塵除去フィルタ４０と内側ルーバー部材５０の取付部５２が締結部材９１によって締結固定されている。したがって、粉塵除去フィルタ４０は、外側ルーバー部材３０と内側ルーバー部材５０とにより挟持されている。
【００２８】
外側枠体６１の周壁６３は、被取付部６２に沿って上下方向に延びる側壁６３ａ，６３ｂと、被取付部６２の上端に設けられ水平方向に延びる上壁６３ｃと、被取付部６２の下端に設けられた下壁６３ｄとから構成されている。側壁６３ａ，６３ｂは、被取付部６２から略直角に起立するように形成されている。図５に示すように、上壁６３ｃは、上壁６３ｃと被取付部６２とが成す角度を直角よりも大きくするように、被取付部６２から起立して形成されている。同様に、下壁６３ｄは、下壁６３ｄと被取付部６２とが成す角度を直角よりも大きくするように被取付部６２から起立して形成されている。
【００２９】
図５に示すように、内側枠体６４は、枠状の取付部６５と、取付部６５の周縁を囲むように設けられる周壁６６とを備えている。
内側枠体６４の周壁６６は、被取付部６２に沿って上下方向に延びる側壁６６ａ，６６ｂと、被取付部６２の上端に設けられ水平方向に延びる上壁６６ｃと、被取付部６２の下端に設けられた下壁６６ｄとから構成されている。側壁６６ａ，６６ｂは、被取付部６２から略直角に起立するように形成されている。図５に示すように、上壁６６ｃは、上壁６６ｃと被取付部６２とが成す角度を直角よりも大きくするように、被取付部６２から起立して形成されている。同様に、下壁６６ｄは、下壁６６ｄと被取付部６２とが成す角度を直角よりも大きくするように被取付部６２から起立して形成されている。
【００３０】
内側枠体６４は、内側枠体６４の周壁６６を、外側枠体６１の周壁６３の内側に配置可能に形成されている。内側枠体６４と外側枠体６１は、内側枠体６４の側壁６６ａ，６６ｂの外側面と、外側枠体６１の側壁６３ａ，６３ｂの内側面とが重なり合うように配置されている。また、内側枠体６４と外側枠体６１は、内側枠体６４の周壁６６の先端（図５において左側端部）が、外側枠体６１から離間するように配置されている。そして、換気ボックス６０は、内側枠体６４の側壁６６ａ，６６ｂと、外側枠体６１の側壁６３ａ，６３ｂと、を締結部材９２（ボルト及びナット）により互いに締結固定することにより形成されている。そして、外側枠体６１の周壁６３において、被取付部６２から周壁６３の先端までの長さは、換気ボックス６０の厚さと等しいかそれより短く設定されている。
【００３１】
図５に示すように、換気ボックス６０は、内側枠体６４を正面扉体１１側にしてパッキン６９を介して正面扉体１１の前面に配置され、締結部材９３（ボルト及びナット）により正面扉体１１の前面に固定されている。パッキン６９は枠状に形成され、内側枠体６４の取付部６５の全体と正面扉体１１との間に介在されている。
【００３２】
内側枠体６４の上壁６６ｃと外側枠体６１の上壁６３ｃとの間には、パッキン６８が配設されている。パッキン６８は、換気ボックス６０の内部へ上方から水滴等が浸入するのを防止する。
【００３３】
内側枠体６４の下壁６６ｄの先端は、外側枠体６１から離間しており、隙間が形成されている。内側枠体６４の下壁６６ｄは、下壁６６ｄと取付部６５とが成す角度を直角よりも大きくするように形成されている。従って、内側枠体６４の下壁６６ｄは、基端（取付部６５の側の端部）よりも先端が下方に位置するように傾斜している。同様に、外側枠体６１の下壁６３ｄは、下壁６３ｄと被取付部６２とが成す角度を直角よりも大きくするように形成されている。従って、外側枠体６１の下壁６３ｄは、基端（被取付部６２の側の端部）よりも先端が下方に位置するように傾斜している。そして、外側枠体６１の下壁６３ｄの先端は、正面扉体１１から離間している。このように配置された外側枠体６１と内側枠体６４は、外側枠体６１の下壁６３ｄと内側枠体６４の下壁６６ｄとが上下方向に重なり合って、折れ曲がった通路（いわゆる迷路構造の通路）を構成する。この通路は、換気ボックス６０の内部空間と換気ボックス６０の外部とが直線的に連通しない構造である。したがって、換気ボックス６０内の水滴は、破線矢印にて示すように、内側枠体６４の下壁６６ｄと外側枠体６１の下壁６３ｄを介して換気ボックス６０の外部へと流れ落ちる。一方、換気ボックス６０の下方からは、折れ曲がった通路によって換気ボックス６０の内部へと水滴の浸入が防止される。
【００３４】
図３〜図５に示すように、正面扉体１１の内面には、耐塩フィルタ７０が配設されている。
図６に示すように、耐塩フィルタ７０は、四角形の板状である。耐塩フィルタ７０は、正面扉体１１の内面に接するように配置され、取付部材７１によって、正面扉体１１に固定されている。
【００３５】
図３に示すように、取付部材７１は、耐塩フィルタ７０の上下に配置された取付部材７２，７３と、耐塩フィルタ７０の左右に配置された取付部材７４，７５とから構成されている。取付部材７４，７５は、耐塩フィルタ７０の左右の辺に沿って延びるように形成された支持部７４ａ，７５ａと、支持部７４ａ，７５ａの上下の取付部７４ｂ，７５ｂから構成されている。図５に示すように、各取付部材７２，７３，７４，７５は、薄板、例えば金属板を折り曲げ加工して形成されている。
【００３６】
そして、取付部材７２，７３，７４，７５は、耐塩フィルタ７０の上下において、手動締結部材９５によって耐塩フィルタ７０を正面扉体１１に固定している。このため、図３に示すように、耐塩フィルタ７０の幅は、正面扉体１１に取り付けられた構成部材としての扉ロット棒１１ｅや扉補強材１１ｆ等に干渉しない。言い換えると、この配電盤１は、正面扉体１１の構成部材に干渉しない程度の大きな耐塩フィルタ７０を備えている。手動締結部材９５は、例えば蝶ナットである。手動締結部材９５は、正面扉体１１に設けられたネジ部材１１ｓに螺合される。したがって、このような手動締結部材９５を用いることにより、ドライバやレンチ等の工具を必要とせず、耐塩フィルタ７０の着脱が容易となる。そして、耐塩フィルタ７０の交換等に要する作業時間を短縮できる。
【００３７】
（作用）
次に、上記の配電盤１における換気装置２１の作用を説明する。
換気装置２１は、外側ルーバー部材３０、内側ルーバー部材５０、粉塵除去フィルタ４０、換気ボックス６０、耐塩フィルタ７０を有している。
【００３８】
外側ルーバー部材３０と内側ルーバー部材５０は、配電盤１の外部から雨水が内部に吹き込むのを抑制する。また、外側ルーバー部材３０と内側ルーバー部材５０とを設けることで、水が換気ボックス６０内に落ち、耐塩フィルタ７０に水が付着するのを抑制できる。換気ボックス６０は、下部に折れ曲がった通路を有しており、この通路により、換気ボックス６０内の水は、盤筐体２の外部へと流れ落ちる。このため、換気ボックス６０において、水のオーバーフローが防止される。また、換気ボックス６０の折れ曲がった通路により、外部から換気ボックス６０内への水の浸入が防止される。
【００３９】
粉塵除去フィルタ４０は、大気中に多数存在する塵埃に代表される粉塵を捕集する。耐塩フィルタ７０は、大気中に含まれる塩分を含んだ微粒子を捕集する。
耐塩フィルタ７０により、配電盤１の内部への塩分の浸入を防ぐことができる。そして、塩害による短絡や地絡等の事故を抑制できる。
【００４０】
外側ルーバー部材３０、内側ルーバー部材５０、粉塵除去フィルタ４０は、換気ボックス６０を介して、配電盤１の正面扉体１１の前面に取り付けられている。耐塩フィルタ７０は、正面扉体１１の内面に接するように配置され、取付部材７１によって、正面扉体１１に固定されている。このような構成により、換気装置２１における換気面積を確保し、配電盤１の内部の温度上昇を抑制できる。
【００４１】
例えば、比較例の配電盤として、外側ルーバー部材３０、内側ルーバー部材５０、及び粉塵除去フィルタ４０を正面扉体１１に直接取り付けたものが考えられる。しかしながら、このような取付方法では、耐塩フィルタ７０が本実施形態の取付位置よりも更に配電盤１の内側となるため、配電盤１に収容した電力機器と干渉する虞がある。このため、面積の大きなルーバー部材や耐塩フィルタを用いることができない。耐塩フィルタは、粉塵除去フィルタ４０と比べて圧力損失が大きい。このため、配電盤１の内部に十分な空気を導入できないため、配電盤１の内部の温度が上昇する。
【００４２】
これに対し、本実施形態では、上述したように、外側ルーバー部材３０、内側ルーバー部材５０、粉塵除去フィルタ４０は、換気ボックス６０を介して、配電盤１の正面扉体１１の前面に取り付けられている。そして、耐塩フィルタ７０は、正面扉体１１の内面に接するように配置され、取付部材７１によって、正面扉体１１に固定されている。このような換気装置２１は、配電盤１の構成部材との干渉がなく、大きな面積の耐塩フィルタ７０、及び外側ルーバー部材３０等を正面扉体１１に取り付けることができる。このため、配電盤１に対して、導入できる空気量が多くなる、つまり十分な換気量を確保でき、配電盤１内部の温度上昇を抑制できる。
【００４３】
例えば、通電試験において、図１（ｂ）に示す配電盤１の所定位置における温度上昇を測定した。測定箇所は、例えば、制御室６内、遮断器（ＶＣＢ）５ａ、５ｂの接触子、母線４の接続部とした。また、始動時の温度に対して許容可能な温度上昇を判定基準とした場合、その判定基準は、制御室６に対して２０（Ｋ）、遮断器５ａ，５ｂ、母線４に対して６５（Ｋ）である。本実施形態の配電盤１を測定した結果、制御室６における温度上昇値は、１０（Ｋ）であった。また、遮断器（ＶＣＢ）５ａ、５ｂの接触子における温度上昇はそれぞれ、５２（Ｋ），５９（Ｋ）であった。母線４の接続部における温度上昇は、４０（Ｋ）であった。上記の測定結果は、いずれも判定基準未満であった。
【００４４】
また、上述の比較例のように、外側ルーバー部材３０等を正面扉体１１に直接取り付けた場合、外側ルーバー部材３０と内側ルーバー部材５０との間に水が溜まり、その水がオーバーフローすると、耐塩フィルタ７０に水が付着したり、水が配電盤１の内部に浸入したりする虞がある。
【００４５】
本実施形態の換気装置２１は、換気ボックス６０に外側ルーバー部材３０と粉塵除去フィルタ４０とが取着されている。外側ルーバー部材３０により、外部からの噴流水の浸入が抑制される。そして、外側ルーバー部材３０の内側に配設された粉塵除去フィルタ４０は、外部からの粉塵の浸入を抑制するとともに、水の浸入を抑制できる。このため、外部から配電盤１の内部への水の浸入をより抑制できる。
【００４６】
また、外側ルーバー部材３０と粉塵除去フィルタ４０と内側ルーバー部材５０は、換気ボックス６０に取着されている。そして、耐塩フィルタ７０は、正面扉体１１に取着され、内側ルーバー部材５０から離間している。このため、耐塩フィルタ７０への水の付着を低減できる。
【００４７】
以上記述したように、本実施形態によれば、以下の効果を奏する。
（１）盤筐体２の正面扉体１１には換気装置２１が取り付けられている。換気装置２１は、枠状の換気ボックス６０を介して正面扉体１１に取着される外側ルーバー部材３０、粉塵除去フィルタ４０、内側ルーバー部材５０を備えている。また、換気装置２１は、正面扉体１１の内側面に取着される耐塩フィルタ７０を備えている。
【００４８】
粉塵除去フィルタ４０と耐塩フィルタ７０とにより、粉塵と塩分とを捕集し、塩害による事故を抑制できる。そして、換気ボックス６０によって、ルーバー部材３０，５０、粉塵除去フィルタ４０、耐塩フィルタ７０が正面扉体１１の内側の構成部材に対する干渉が抑制されるため、大きなルーバー部材３０，５０、粉塵除去フィルタ４０、耐塩フィルタ７０を用いることができるようになる。このため、換気量が増加し、盤筐体２内の温度上昇を抑制できる。
【００４９】
（２）換気装置２１は、外側ルーバー部材３０と、内側ルーバー部材５０とを有している。したがって、盤筐体２の内部への水の浸入を抑制できる。
（３）粉塵除去フィルタ４０は、外側ルーバー部材３０と内側ルーバー部材５０との間に配設されている。したがって、粉塵除去フィルタ４０が外側ルーバー部材３０と内側ルーバー部材５０とに挟持されて、換気装置２１をコンパクトな構造とすることができる。
【００５０】
（４）換気ボックス６０は、外側枠体６１と内側枠体６４とを備える。外側枠体６１は、ルーバー部材３０，５０及び粉塵除去フィルタ４０が取り付けられる被取付部６２と、被取付部６２の周縁を囲むように設けられる周壁６３とを備える。内側枠体６４は、正面扉体１１に取り付けられる取付部６５と、取付部６５の周縁を囲むように設けられる周壁６６とを備える。外側枠体６１の周壁６３を構成する下壁６３ｄは、基端よりも先端が下に位置するように傾いて設けられている。内側枠体６４の周壁６６を構成する下壁６６ｄは、基端よりも先端が下に位置するように傾いて設けられている。外側枠体６１と内側枠体６４は、内側枠体６４の下壁６６ｄと外側枠体６１の下壁６３ｄとにより折れ曲がった通路を構成するように配置される。したがって、換気ボックス６０内に浸入した水が換気ボックス６０の下部の折れ曲がった通路により換気ボックス６０から外部へと流れ落ちる。また、折れ曲がった通路により、換気ボックス６０の下部から水が浸入し難い。このため、換気ボックス６０への水の浸入を抑制できる。また、換気ボックス６０において水がオーバーフローすることが防止できる。
【００５１】
尚、上記実施形態は、以下の態様で実施してもよい。
・上記実施形態に対し、ルーバー部材の数を適宜変更してもよい。例えば、内側ルーバー部材５０を省略してもよい。また、３枚以上のルーバー部材を備える構成としてもよい。
【００５２】
・上記実施形態に対し、外側ルーバー部材３０の貫通孔３３ａと、内側ルーバー部材５０の貫通孔５３ａとが互いに重ならないように、外側ルーバー部材３０と内側ルーバー部材５０とを配設してもよい。貫通孔３３ａ，５３ａが重ならないことで、更に水の浸入を抑制できる。
【００５３】
・上記実施形態に対し、図７に示すように、換気ボックス６０に耐塩フィルタ７０を取着した換気装置１００とし、その換気装置１００を、正面扉体１１の外側からその正面扉体１１に取着するようにしてもよい。
【符号の説明】
【００５４】
２…盤筐体、１１…正面扉、２１，２２，１００…換気装置、３０…外側ルーバー部材、４０…粉塵除去フィルタ、５０…内側ルーバー部材、６０…換気ボックス、７０…耐塩フィルタ。
【図１】
2020010495.tif 000003
【図２】
2020010495.tif 000004
【図３】
2020010495.tif 000005
【図４】
2020010495.tif 000006
【図５】
2020010495.tif 000007
【図６】
2020010495.tif 000008
【図７】
2020010495.tif 000009